(57)【要約】      （修正有）【課題】屋内の温度による損害を防ぐ、製造コストの低い屋根換気装置を提供する。【解決手段】屋根換気装置は、屋根の通気口に対応する棟構造と、前部及び後部パネルと、２つの邪魔板構造とを備える。２つの邪魔板構造は、それぞれの邪魔板構造と頂部カバーとの間に２つのスペースを残して、棟構造の両側に取り付けられている。屋根の下の熱気は、上昇すると通気口を通り、スロットから出ていく。したがって、保守も外部の電源も必要とせず、熱気は屋根換気装置により安価にかつ容易に放出される。【選択図】図１
0003137027.tif 000002
【実用新案登録請求の範囲】
【請求項１】
（１）前部と、（２）後部と、（３）２つの側部と、（４）それぞれが２つの自由端と１つのピークとを有する垂木構造と、前記ピークと前記自由端との間に取り付けられている２本のクインポストとを有する２つのトラスと、（５）該２つのトラスの前記ピークの間に取り付けられた縦桁とを備える棟構造と、
前記垂木構造より短く、凸状で、前記縦桁と前記垂木構造とに、前記垂木構造の前記自由端付近にスロットを形成するように取り付けられた底面とを有する頂部カバーと、
前記棟構造の対応する側部にそれぞれ取り付けられた２つの邪魔板構造であって、前記クインポストより短く、中央部分と、対応する前記クインポストに取り付けられた中央部分付近の内面と、前記邪魔板構造の上端と前記頂部カバーとの間にギャップを形成すべく残された上端と、下端とを有する凹状の邪魔板と、前記クインポストより短く、前記対応する前記垂木構造の前記自由端に取り付けられた内面を有する凸状の邪魔板とをそれぞれ有する邪魔板構造と、
前記棟構造の前記前部に取り付けられた前部パネルと、
前記棟構造の前記後部に取り付けられた後部パネルとを含む屋根換気装置。
【請求項２】
前記頂部カバー、前記前部パネル、前記後部パネルおよび前記２つの邪魔板構造はブラケットを介して前記棟構造に接続されている、請求項１に記載の屋根換気装置。
【請求項３】
前記ブラケットのそれぞれはＣ字形の横断面を有する、請求項２に記載の屋根換気装置。
【請求項４】
前記垂木構造は、さらに、該垂木構造の前記２つの自由端において前記クインポストと平行に取り付けられ、前記凸状の邪魔板の内面に取り付けられた自由端をそれぞれ有する２本の側部支柱を含む、請求項１、２又は３のいずれか１項に記載の屋根換気装置。
【請求項５】
前記頂部カバー、前記前部パネル、前記後部パネル、前記凹状の邪魔板及び前記凸状の邪魔板は波形である、請求項１、２又は３のいずれか１項に記載の屋根換気装置。
【考案の詳細な説明】
【技術分野】
【０００１】
本考案は、換気装置、特に、屋根の下に蓄えられた熱気を放出すべく屋根の上に載置された換気装置に関する。
【背景技術】
【０００２】
低コストの建物、特に工場や倉庫を建設する際に、外壁と屋根には波形鉄板が使用されるが、波形鉄板は太陽輻射を効果的に吸収し伝達するため、建物の内部に熱した空気を蓄え、建物や、屋内の物品や人に温度による危害を与える。そのため、換気装置が必要となる。
【考案の開示】
【考案が解決しようとする課題】
【０００３】
図４を参照するに、従来の屋根換気装置は、それぞれが換気扇６１を備えた複数の通気口６２を備える。複数の通気口６２は、建物６０の屋根の上に設置されている。換気扇６１は屋根の上に通気口６２に対応して載置され、通気口と共に回転する。正常な状態では、屋根の下に蓄えられた熱気が上昇し、換気扇６１を回転させると、通気口６２が屋内に気流を (矢印のように) 発生させ、温度を一定に維持する。
【０００４】
風が吹くと、通気口６２が回転し、換気扇を回転させて建物から熱気を吸い上げる。しかし、これら従来型の装置の多くは、効果的に作用するには屋根の上に追加する必要があり、そのため建設費が高くなる。また、換気扇は、交換や修理を要する可動部品を使用しているため、特に海の近くの高温多湿の地域のような腐食が激しく気象条件の厳しい環境に建てられた場合は高価になる。
【０００５】
さらに、従来の通気口の中には、屋根からの熱気の排除を増加させるため電子換気扇６１を必要とするものがある。しかし、この従来の換気装置は複数の電動換気扇を有し、各電動換気扇は外部の電源で駆動されるため、熱を放射するためのコストは安価ではない。
【課題を解決するための手段】
【０００６】
本考案の主目的は、屋根の下に熱気が蓄積するのを防ぎ、屋内での温度による損傷を防ぐ、製造コストの安価な屋根換気装置を提供することにある。
【考案の効果】
【０００７】
この屋根換気装置は、屋根の上の通気口に対応する棟構造と、頂部カバーと、前後部パネルと、２つの邪魔板構造とを有する。２つの邪魔板構造は、それら邪魔板構造と前記頂部カバーとの間に二つのギャップを残して棟構造の両側に取り付けられる。屋根の下の熱気が上昇すると、熱気は通気口を通って両スロットから出て行く。したがって、熱気は容易に屋根換気装置から放出され、保守が必要でなく安価である。
【０００８】
本考案の他の目的、利点及び新規性は、添付の図面を参照し下記の詳細な説明からさらに明白になるであろう。
【考案を実施するための最良の形態】
【０００９】
図１及び２を参照するに、本考案の屋根換気装置は、複数対の垂木５１と、複数の櫛桁５２と、棟木５３と、通気口５０１とを有する屋根５０に載置される。垂木５１はピークと中央セグメントとを形成するようにある角度で互いに取り付けられる。前記中央セグメントは前記ピークに隣接して形成される。棟木５３は、垂木５１の両ピーク間に垂直に取り付けられる。櫛桁５２は、外部の部材から屋根を覆うが、中央セグメントをあけておくように垂木５１の上に取り付けられる。前記通気口は垂木５１の中央セグメントに形成され、櫛桁５２で覆われないようにする。
【００１０】
屋根換気装置は、棟構造１０と、複数のブラケット１５と、頂部カバー２０と、２枚の邪魔板構造４０と、前部パネル３０と後部パネル３１とを有する。
【００１１】
棟構造１０は前部、後部及び２つの側部を有し、２つのトラスと１本の縦桁１１とを含む。各トラスは、垂木構造１２と、２本のクインポスト１３と、２本の側部支柱１４とを含む。棟木構造１２は、２つの自由端を備えてピークを形成し、金属、木材又はプラスチックの梁でもよく、ピークを形成するように曲げてもよく、あるいはピークをなすようにある角度で結合された２本の梁を含んでもよい。
【００１２】
クインポスト１３は、ピークと棟木構造１２の両自由端との間、及び屋根５０の棟木５１の上の通気口５０１に隣接して取り付けられる。
【００１３】
縦桁１１はトラスのピークの間に取り付けられる。
【００１４】
側部支柱１４は垂木構造１２の両自由端付近に取り付けられ、クインポストに平行であり、１つの自由端を有する。
【００１５】
ブラケット１５はC字形の横断面を有し、スチール製で、垂木構造１２の両自由端付近で縦桁１１に平行に取り付けられ、また、２つの対応する垂木構造１２の両自由端の間、クインポスト１３の間、及び２つの対応する側部支柱１４の自由端の間で縦桁１１に隣接して取り付けられてもよい。
【００１６】
図３をさらに参照するに、頂部カバー２０は垂木構造１２よりも短く、凸状で、波形でもよく、金属又はプラスチック製でもよく、底面を有する。底面は縦桁１１と垂木１２とに取り付けられ、ブラケットを使用してもよい。したがって、頂部カバー２０は、垂木構造１２の両自由端付近にスロット１０１を規定する。頂部カバー２０は、屋根５０の通気口５０１よりも広い。
【００１７】
邪魔板４０はそれぞれ棟構造１０の対応する側部に取り付けられ、波形金属又は波形プラスチック製である。
【００１８】
邪魔板構造４０はそれぞれ棟構造１０の対応する側部に取り付けられ、凹状の邪魔板４１と凸状の邪魔板４２とからなる。凹状の邪魔板４１は、クインポスト１３より短く、中央セグメント、内面、上端及び下端とを備える。凹状の邪魔板４１の中央セグメント付近の内面は、対応するクインポスト１３に取り付けられ、対応するブラケット１５を使用してもよい。凹状の邪魔板４１の頂部付近の内面は、対応するクインポスト１３に取り付けられてもよく、ブラケット１５に対応する持ち送りを使用してもよい。下端は対応する櫛桁５２に配置される。したがって、ギャップ１０２が凹状邪魔板４１の上端と頂部カバー２０との間に形成される。凸状の邪魔板４２は、クインポスト１３より短く、内面を有する。該内面は対応する垂木構造２２の対応する自由端に取り付けられ、支柱１４の自由端に取り付けられてもよく、２つの持ち送り１５を使用しても良い。凸状の邪魔板４２は頂部カバー２０に接続せず、スロット１０１を覆わない。凸状の邪魔板４２は、櫛桁５２を覆わず接触しないため、凸状の邪魔板４２と凹状の邪魔板４１と櫛桁５２との間にチャンネル１０３が形成される。前部及び後部パネル３０、３１は、前記チャンネルとスロット１０１とを覆わず棟構造の前部及び後部を覆うようにキノコ型に形成されている。
【００１９】
熱気は、屋根５０に蓄積すると、屋根の通気口５０１を経て換気装置の中に逃げることができ、それから頂部カバーに向かって上昇し、前記凹状の邪魔板と頂部カバーとの間のスロット１０１から出て行く。この過程は風がチャンネルを通して外気を吹き込みスロット１０１から出るとき加速されるため、熱気を屋根５０から吸引する。
【００２０】
上記説明によると、本考案の屋根換気装置は可動部品を備えないので、建設費がより安価で保守の必要がない。その上、本考案は外部の電源を必要とせずに屋根から熱気を逃がす。
【００２１】
本考案の多数の特徴や利点を、この考案の構造及び機能の詳細と共に説明したが、この開示は例示のためのみになされたものである。細部、特にこの考案の原理内で形状、寸法、部品の配置に関しては、添付の請求項を表現する用語の広い一般的な意味が表す範囲内で変更が可能である。
【図面の簡単な説明】
【００２２】
【図１】本考案による屋根上に載置された屋根換気装置の斜視図。
【図２】図１における屋根換気装置の部分分解斜視図。
【図３】図１における屋根換気装置の使用状態を示す部分断面作業正面図。
【図４】屋根上に載置された従来の換気装置の側面図。
【符号の説明】
【００２３】
１０    棟構造
１２    垂木構造
１４    側部支柱
１５    ブラケット
２０    頂部カバー
４０    邪魔板
５０１  通気口
【図１】
0003137027.tif 000003
【図２】
0003137027.tif 000004
【図３】
0003137027.tif 000005
【図４】
0003137027.tif 000006